(57)【要約】【課題】操作性に優れた電子機器を提供することにある。【解決手段】電子機器は、回転体と、複数の選択候補のうちの順番が連続する所定数の選択候補を並べた選択画面を表示するとともに、これら所定数の選択候補の中の所定の選択対象を識別表示する表示手段と、前記回転体の回転方向に基づき識別表示対象の遷移方向を制御し、前記回転体の第１の回転速度に基づき所定の選択候補の一つ先又は一つ後の選択候補を識別表示し、前記回転体の第２の回転速度に基づき所定の選択候補より二つ以上先又は二つ以上後の選択候補を識別表示する表示制御手段とを備えている。【選択図】      図６
2006191301.tif 000002
【特許請求の範囲】
【請求項１】
映像を撮影する撮影手段と、
前記撮影手段により撮影された映像を記録する記録手段と、
回転体と、
前記撮影手段により撮影された映像を表示し、表示切り換え操作に対応して複数の選択候補のうちの順番が連続する所定数の選択候補を並べた選択画面を表示するとともに、これら所定数の選択候補の中の所定の選択対象を識別表示する表示手段と、
前記回転体の回転方向に基づき識別表示対象の遷移方向を制御し、前記回転体の第１の回転速度に基づき所定の選択候補の一つ先又は一つ後の選択候補を識別表示し、前記回転体の第２の回転速度に基づき所定の選択候補より二つ以上先又は二つ以上後の選択候補を識別表示する表示制御手段と、
を備えたことを特徴とするデジタルカメラ。
【請求項２】
回転体と、
複数の選択候補のうちの順番が連続する所定数の選択候補を並べた選択画面を表示するとともに、これら所定数の選択候補の中の所定の選択対象を識別表示する表示手段と、
前記回転体の回転方向に基づき識別表示対象の遷移方向を制御し、前記回転体の第１の回転速度に基づき所定の選択候補の一つ先又は一つ後の選択候補を識別表示し、前記回転体の第２の回転速度に基づき所定の選択候補より二つ以上先又は二つ以上後の選択候補を識別表示する表示制御手段と、
を備えたことを特徴とする電子機器。
【請求項３】
前記表示手段は、所定数の選択候補を順番にｍ行ｎ列に配置した選択画面を表示し、
前記表示制御手段は、前記回転体の回転に基づき、所定の選択候補が属する行と異なる行に属する選択候補が識別表示対象となることに対応して、前記選択画面中に並べられる所定数の選択候補を遷移する、
ことを特徴とする請求項２に記載の電子機器。
【請求項４】
前記表示手段は、所定数の選択候補を順番にｍ行ｎ列に配置した選択画面を表示し、
前記表示制御手段は、前記回転体の回転速度に基づき、前記選択画面中に並べられる所定数の選択候補のスクロール速度を制御する、
ことを特徴とする請求項２に記載の電子機器。
【請求項５】
前記表示手段は、所定数の選択候補を順番にｍ行ｎ列に配置した選択画面を表示し、
前記表示制御手段は、前記回転体の前記第２の回転速度に基づき所定の選択候補が属する行と異なる行に属し且つ所定の選択候補が属する列と同じ列の選択候補を識別表示する、
ことを特徴とする請求項２に記載の電子機器。
【請求項６】
前記表示手段は、所定数の選択候補を順番にｍ行ｎ列に配置した選択画面を表示し、
前記表示制御手段は、前記回転体の前記第２の回転速度に基づき所定の選択候補が属する行からＸ番目の行に属し且つ所定の選択候補が属する列と同じ列の選択候補を識別表示し、前記回転体の第３の回転速度に基づき所定の選択候補が属する行からＹ番目の行に属し且つ所定の選択候補が属する列と同じ列の選択候補を識別表示する、
ことを特徴とする請求項２に記載の電子機器。
【請求項７】
前記表示制御手段は、前記回転体の回転速度に基づき、前記回転体の回転中の前記識別表示を非表示とすることを特徴とする請求項２に記載の電子機器。
【請求項８】
前記表示手段は、所定数の選択候補を順番に円弧状に配置した選択画面を表示し、
前記表示制御手段は、前記回転体の回転に基づき、所定の選択候補と異なる選択候補が識別表示対象となることに対応して、前記選択画面中に並べられる所定数の選択候補を遷移する、
ことを特徴とする請求項２に記載の電子機器。
【請求項９】
前記表示手段は、所定数の選択候補を順番に円弧状に配置した選択画面を表示し、
前記表示制御手段は、前記回転体の回転速度に基づき、前記選択画面中に並べられる所定数の選択候補のスクロール速度を制御する、
ことを特徴とする請求項２に記載の電子機器。
【請求項１０】
前記表示手段は、所定数の選択候補を順番に円弧状に配置した選択画面を表示し、
前記表示制御手段は、前記回転体の回転に対応して、前記円弧の一端に表示されていた選択候補を表示対象から除外し、替わりに前記円弧の他端に新たな選択候補を表示対象として追加表示する、
ことを特徴とする請求項２に記載の電子機器。
【請求項１１】
回転体と、
光学像を電気信号に変換する光電変換手段と、
前記光電変換手段により変換された電気信号に基づく画像を記録する記録手段と、
被写体距離及び前記回転体の回転速度に基づき、焦点調整レンズと光電変換手段との間の焦点距離の可変幅を制御する焦点距離制御手段と、
を備えたことを特徴とするデジタルカメラ。
【請求項１２】
前記焦点距離制御手段は、第１の被写体距離及び前記回転体の所定の回転速度に基づき焦点距離を第１の可変幅で制御し、前記第１の被写体距離より短い第２の被写体距離及び前記所定の回転速度に基づき焦点距離を前記第１の可変幅より大きい第２の可変幅で制御することを特徴とする請求項１１に記載のデジタルカメラ。
【請求項１３】
前記焦点距離制御手段は、所定の被写体距離及び前記回転体の第１の回転速度に基づき焦点距離を第１の可変幅で制御し、前記所定の被写体距離及び前記第１の回転速度より速い第２の回転速度に基づき焦点距離を前記第１の可変幅より大きい第２の可変幅で制御することを特徴とする請求項１１に記載のデジタルカメラ。
【請求項１４】
前記焦点距離制御手段は、被写体距離が短くなるにつれて規定ステップ数が増加する被写体距離と規定ステップ数との関係に基づき、検出された被写体距離から規定ステップ数を決定し、前記回転体の回転速度が速くなるにつれて規定ステップ数を増加させる回転速度と規定ステップ数との関係に基づき、検出された回転速度から実際のステップ数を決定し、この実際のステップ数に基づき焦点距離を制御することを特徴とする請求項１１に記載のデジタルカメラ。
【請求項１５】
焦点距離制御手段は、被写体距離が短くなるにつれて規定ステップ数が増加する被写体距離と規定ステップ数との関係に基づき、検出された被写体距離から規定ステップ数を決定し、前記回転体の第１の回転速度に対応して所定のステップ数を設定し、前記回転体の前記第１の回転速度より速い第２の回転速度に対応して前記規定ステップ数を設定し、前記回転体の前記第２の回転速度より速い第３の回転速度に対応して規定ステップ数の所定倍のステップ数を設定し、設定されたステップに基づき焦点距離を制御することを特徴とする請求項１１に記載のデジタルカメラ。
【発明の詳細な説明】
【技術分野】
【０００１】
本発明は、静止画及び動画を撮影する映像撮影装置（デジタルカメラ）等の電子機器に関する。
【背景技術】
【０００２】
近年、映像撮影装置のような多機能なデジタル機器の普及が目覚しい。このようなデジタル機器は、多機能であるが故に、操作が複雑になりがちである。このような複雑な操作を分かり易くするために、十字キーによる操作に関する各種提案がなされている（特許文献１参照）。十字キーは、左右方向に加えて上下方向にも項目選択を可能とする。この十字キーと呼ばれる一つのキーにより、多数の項目を比較的容易に選択することが可能となる。
【０００３】
例えば、デジタルカメラは、静止画や動画の代表画像などをサムネイルにより一覧表示する。具体的には、デジタルカメラの液晶画面上に、９画像をマトリクス状に一覧表示する。この一覧表示の中から所望の画像を選択するために、上記した十字キー（４方向キー）が使用される。十字キーに対する１回入力操作（一度の押下操作）に対応して、選択中の画像の隣の画像が新たに選択される。或いは、十字キーに対する連続入力操作（連続押下操作）に対応して、一定速度で隣の画像が順々に選択され、画面がスクロールする。さらに、十字キーに対する連続入力操作を継続すると、画像の選択速度が加速し、画面のスクロールも加速する。
【０００４】
また、デジタルカメラは、各種設定等のためのメニュー画面を表示する。このメニュー画面中には、複数の選択項目のうちの例えば６個程度の選択項目が並べて表示される。このメニュー画面の中から所望の選択項目を選択するために、上記した十字キーが使用される。十字キーに対する１回入力操作（一度の押下操作）に対応して、選択中の選択項目の隣の選択項目が新たに選択される。或いは、十字キーに対する連続入力操作（連続押下操作）に対応して、一定速度で、隣の選択項目が順々に選択され、画面がスクロールする。さらに、十字キーに対する連続入力操作を継続すると、選択項目の選択速度が加速し、画面のスクロールも加速する。
【０００５】
さらに、デジタルカメラは、マニュアルによりフォーカスを調整することもできる。この調整には、例えば左右キーが使用される。左右キーに対する１回入力操作（一度の押下操作）に対応して、焦点調整レンズが１ステップ（固定ステップ数）移動する。
【特許文献１】特開２００４−８０４７７号公報
【発明の開示】
【発明が解決しようとする課題】
【０００６】
上記したような十字キーによる画像選択は、画像枚数の増加と共に、目標画像に到達するまでの時間が長時間化するという欠点を持つ。また、連続入力操作によるスクロール速度の変化は、ユーザーが期待する最適なスクロール速度に制御できないばかりか、スクロール速度が速くなりすぎてしまい、目標画像を見落としてしまう欠点や、最適なスクロール速度に達するのにやや時間がかかるなどの欠点を持つ。
【０００７】
上記した欠点は、メニュー画面における項目選択時にも当てはまる。
【０００８】
また、マニュアルフォーカスでは、被写体距離に応じて焦点調整レンズの駆動に必要なパルス数は変化するため、固定ステップ数の変化では長焦点と短焦点での距離に対する移動速度が遅くなる、という欠点を持つ。
【０００９】
本発明の目的は、上記課題を解決するためになされたものであり、操作性に優れたデジタルカメラ及び電子機器を提供することにある。
【課題を解決するための手段】
【００１０】
この発明のデジタルカメラは、映像を撮影する撮影手段と、前記撮影手段により撮影された映像を記録する記録手段と、回転体と、前記撮影手段により撮影された映像を表示し、表示切り換え操作に対応して複数の選択候補のうちの順番が連続する所定数の選択候補を並べた選択画面を表示するとともに、これら所定数の選択候補の中の所定の選択対象を識別表示する表示手段と、前記回転体の回転方向に基づき識別表示対象の遷移方向を制御し、前記回転体の第１の回転速度に基づき所定の選択候補の一つ先又は一つ後の選択候補を識別表示し、前記回転体の第２の回転速度に基づき所定の選択候補より二つ以上先又は二つ以上後の選択候補を識別表示する表示制御手段とを備えている。
【００１１】
この発明の電子機器は、回転体と、複数の選択候補のうちの順番が連続する所定数の選択候補を並べた選択画面を表示するとともに、これら所定数の選択候補の中の所定の選択対象を識別表示する表示手段と、前記回転体の回転方向に基づき識別表示対象の遷移方向を制御し、前記回転体の第１の回転速度に基づき所定の選択候補の一つ先又は一つ後の選択候補を識別表示し、前記回転体の第２の回転速度に基づき所定の選択候補より二つ以上先又は二つ以上後の選択候補を識別表示する表示制御手段とを備えている。
【発明の効果】
【００１２】
本発明によれば、操作性に優れたデジタルカメラ及び電子機器を提供できる。
【発明を実施するための最良の形態】
【００１３】
以下に、この発明の実施形態について図面を参照して詳細に説明する。
【００１４】
図１及び図２は、この発明の映像撮影装置（デジタルカメラ）の一例を示す図である。図１は、映像撮影装置を構成する本体に設けられた収納部に対して表示部を収納した状態を示す図である。図２は、表示部に表示される映像を視認可能な状態にした様子を示す図である。
【００１５】
図１及び図２に示すように、映像撮影装置は、本体１を備えており、この本体１は、レンズ２、フラッシュ３、シャッターボタン４、表示部５、動画レコードボタン６、ジョグダイヤル（回転体）７、方向キー８、メニューボタン９、ズームバー１０、モードレバー１１、パワーボタン１２などを備えている。
【００１６】
さらに、本体１は、収納部２１を備えており、この収納部２１に、表示部５を収納することができる。表示部５は、可動自在に構成されており、収納部２１から取り出して、表示面を任意の角度に調整することができる。表示部５は、ＬＣＤ（液晶ディスプレイ）５１及びスピーカー５２を備えている。
【００１７】
図３は、ジョグダイヤル及び決定ボタンの詳細を説明するための図である。
【００１８】
図３に示すように、ジョグダイヤル７は、円環状に構成されている。このジョグダイヤル７は、右方向及び左方向に回転可能な構成となっている。なお、このジョグダイヤル７は、円環状だけに限定されるものではなく、指が引っ掛かりやすいように多角形の環状であってもよい。
【００１９】
さらにこのジョグダイヤル７の内側には、円形の方向キー８が配置されている。方向キー８は、中心位置に決定キー８１、上位置にＵＰキー８２、下位置にＤＯＷＮキー８３、右位置にＲＩＧＨＴキー８４、左位置にＬＥＦＴキー８５を備えている。
【００２０】
図４は、図１〜図３を参照して説明した映像撮影装置の概略構成を示すブロック図である。
【００２１】
映像撮影装置は、光電変換手段としてのＣＣＤ２００、フロントエンドプロセッサー（ＦＥＰ）２０１、ＳＤＲＡＭ２０２、デジタルシグナルプロセッサー（ＤＳＰ）２０３、ＬＣＤドライバ２０４、メモリーコントローラー２０５、メモリカード２０６、焦点距離制御手段としてのレンズユニット２０７、同じく焦点距離制御手段としてのモータードライバー２０８、サブＣＰＵ２０９、及びＨＤＤ２１０などを備えている。レンズユニット２０７は、焦点調整レンズ及びこの焦点調整レンズを移動させる焦点調整用のモーターにより構成されている。
【００２２】
シャッターボタン４の操作に対応して、ＣＣＤ２００は、レンズ２とレンズユニット２０７を構成する焦点調整レンズを介して得られる光（静止画像）を電気信号に変換する。或いは、動画レコードボタン６の操作に対応して、ＣＣＤ１０１は、レンズ２とレンズユニット２０７を構成する焦点調整レンズを介して得られる光（動画像）を電気信号に変換する。ＦＥＰ２０１は、ＣＣＤ１０１から出力される電気信号をデジタル信号へ変換する。ＤＳＰ２０３は、静止画像のデジタル信号或いは動画像のデジタル信号をＬＣＤドライバ２０４へ提供する。また、ＤＳＰ２０３は、静止画像のデジタル信号をＪＰＥＧに準拠した画像信号へエンコードする。或いは、ＤＳＰ２０３は、動画像のデジタル信号をＭＰＥＧに準拠した画像信号へエンコードする。なお、ＤＳＰ２０３は、ＳＤＲＡＭ２０２を信号処理用の外部メモリーとして使用する。ＨＤＤ２１０は、エンコードされた画像信号を記憶する。或いは着脱可能なメモリカード２０６は、メモリカードコントローラ２０５を介して、エンコードされた画像信号を記憶する。ＬＣＤドライバ２０４は、静止画像のデジタル信号或いは動画像のデジタル信号に基づきＬＣＤ５１の駆動を制御し、ＬＣＤ５１上に画像を表示させる。記録済み画像の再生時には、ＤＳＰ２０３は、ＨＤＤ２１０又はメモリカード２０６からのエンコードされた画像信号をデコードし、ＬＣＤドライバ２０４へ提供する。
【００２３】
ユーザー入力操作は、ジョグダイヤル７や方向キー８により受け付けられる。ジョグダイヤル７や方向キー８で受け付けた入力操作は、サブＣＰＵ２０９により検出される。サブＣＰＵ２０９は、入力操作に対応する信号をＤＳＰ２０３へ送信する。例えば、ジョグダイヤル７の回転に対応して、ジョグダイヤル７は一定の回転角度に応じたパルスを出力する。例えば、ジョグダイヤル７がｎ度回転すると、ジョグダイヤル７は１パルスを出力する。同時に、ジョグダイヤル７は回転方向を示す信号も出力する。サブＣＰＵ２０９は、回転方向を示す信号に基づきジョグダイヤル７の回転方向を検出し、パルス数をカウントしてジョグダイヤル７の回転量を検出し、また単位時間あたりのパルス数から単位時間あたりの回転角（回転速度）を検出する。
【００２４】
以下、図５〜図１４を参照して、ジョグダイヤル７による各種操作について説明する。
【００２５】
まず、ジョグダイヤル７によるサムネイル画像の選択操作について説明する。
【００２６】
図５は、映像撮影装置により取り込んだ静止画や動画の代表画像などのサムネイルを一覧表示した選択画面の一例を示す図である。例えば、ＬＣＤ５１は、ＨＤＤ２１０に格納されている複数のサムネイル画像（選択候補）のうちの順番が連続する９個のサムネイル画像を３行３列（マトリクス状）に配置した選択画面を表示する。この画面上では、サムネイル画像Ｔｈｕ１〜Ｔｈｕ９が順番に配置されおり、選択対象のサムネイル画像Ｔｈｕ４が識別表示されている。また、選択画面の右端には、スクロールバーＳＢが表示されている。
【００２７】
図６は、図５に示すサムネイル画像を一覧表示した選択画面上での選択操作の一例を示すフローチャートである。
【００２８】
ジョグダイヤル７が回転すると（ＳＴ１０１、ＹＥＳ）、サブＣＰＵ２０９により回転方向、回転量、回転速度が検出される（ＳＴ１０２）。
【００２９】
右回りの回転（先送りの回転）が検出され（ＳＴ１０３、ＹＥＳ）、単位時間あたりの回転量が少ない場合（回転速度が遅い場合）には（ＳＴ１０４、ＹＥＳ）、サブＣＰＵ２０９、ＤＳＰ２０３、及びＬＣＤドライバ２０４の表示制御により、１個先のサムネイル画像が選択される（ＳＴ１０７）。つまり、現在選択（現在識別表示）されているサムネイル画像（例えばサムネイル画像Ｔｈｕ４）の１個先の順番のサムネイル画像（例えばサムネイル画像Ｔｈｕ５）が選択（識別表示）される。同様にして、さらに１個先のサムネイル画像（例えばサムネイル画像Ｔｈｕ６）が選択され、さらに１個先のサムネイル画像（例えばサムネイル画像Ｔｈｕ７）が選択されると、この選択のタイミングで、サブＣＰＵ２０９、ＤＳＰ２０３、及びＬＣＤドライバ２０４の表示制御により、選択画面中に並べられた９個のサムネイル画像（例えばサムネイル画像Ｔｈｕ１〜Ｔｈｕ９）が遷移する。つまり、ジョグダイヤル７の回転に基づき、現在選択（現在識別表示）されているサムネイル画像（例えばサムネイル画像Ｔｈｕ６）が属する行（第２行目）と異なる行（第３行目）に属するサムネイル画像（例えばサムネイル画像Ｔｈｕ７）が選択されることに対応して、選択画面中に並べられた９個のサムネイル画像（例えばサムネイル画像Ｔｈｕ１〜Ｔｈｕ９）が遷移する。遷移により、例えば、第１行目にサムネイル画像Ｔｈｕ４〜Ｔｈｕ６が並び、第２行目にサムネイル画像Ｔｈｕ７〜Ｔｈｕ９が並び、第３行目にサムネイル画像Ｔｈｕ１０〜Ｔｈｕ１２（図示しない）が並ぶ。
【００３０】
右回りの回転（先送りの回転）が検出され（ＳＴ１０３、ＹＥＳ）、単位時間あたりの回転量が中程度の場合（回転速度が少し早い場合）には（ＳＴ１０５、ＹＥＳ）、サブＣＰＵ２０９、ＤＳＰ２０３、及びＬＣＤドライバ２０４の表示制御により、３個先のサムネイル画像が選択される（ＳＴ１０８）。つまり、現在選択（現在識別表示）されているサムネイル画像（例えばサムネイル画像Ｔｈｕ４）の３個先の順番のサムネイル画像（例えばサムネイル画像Ｔｈｕ７）が選択（識別表示）される。このように、ジョグダイヤル７の回転速度が少し速い場合は、現在選択（現在識別表示）されているサムネイル画像（例えばサムネイル画像Ｔｈｕ４）が属する行（第２行目）と異なる行（第３行目）に属し、且つ現在選択（現在識別表示）されているサムネイル画像（例えばサムネイル画像Ｔｈｕ４）が属する列（第１列目）と同じ列（第１列目）のサムネイル画像（例えばサムネイル画像Ｔｈｕ７）を選択（識別表示）する。さらにこの選択のタイミングで、サブＣＰＵ２０９、ＤＳＰ２０３、及びＬＣＤドライバ２０４の表示制御により、選択画面中に並べられた９個のサムネイル画像（例えばサムネイル画像Ｔｈｕ１〜Ｔｈｕ９）が遷移する。つまり、ジョグダイヤル７の回転に基づき、現在選択（現在識別表示）されているサムネイル画像（例えばサムネイル画像Ｔｈｕ４）が属する行（第２行目）と異なる行（第３行目）に属するサムネイル画像（例えばサムネイル画像Ｔｈｕ７）が選択されることに対応して、選択画面中に並べられた９個のサムネイル画像（例えばサムネイル画像Ｔｈｕ１〜Ｔｈｕ９）が遷移する。遷移により、例えば、第１行目にサムネイル画像Ｔｈｕ４〜Ｔｈｕ６が並び、第２行目にサムネイル画像Ｔｈｕ７〜Ｔｈｕ９が並び、第３行目にサムネイル画像Ｔｈｕ１０〜Ｔｈｕ１２（図示しない）が並ぶ。
【００３１】
右回りの回転（先送りの回転）が検出され（ＳＴ１０３、ＹＥＳ）、単位時間あたりの回転量が多い場合（回転速度が非常に速い場合）には（ＳＴ１０６、ＹＥＳ）、サブＣＰＵ２０９、ＤＳＰ２０３、及びＬＣＤドライバ２０４の表示制御により、９個先（１画面分先）のサムネイル画像が選択される（ＳＴ１０８）。つまり、現在選択（現在識別表示）されているサムネイル画像（例えばサムネイル画像Ｔｈｕ４）の９個先の順番のサムネイル画像（例えばサムネイル画像Ｔｈｕ１４（図示しない））が選択（識別表示）される。このように、ジョグダイヤル７の回転速度が非常に速い場合は、現在選択（現在識別表示）されているサムネイル画像（例えばサムネイル画像Ｔｈｕ４）が属する行（第２行目）と異なる行（第５行目）に属し、且つ現在選択（現在識別表示）されているサムネイル画像（例えばサムネイル画像Ｔｈｕ４）が属する列（第１列目）と同じ列（第１列目）のサムネイル画像（例えばサムネイル画像Ｔｈｕ１３（図示しない））を選択（識別表示）する。さらにこの選択のタイミングで、サブＣＰＵ２０９、ＤＳＰ２０３、及びＬＣＤドライバ２０４の表示制御により、選択画面中に並べられた９個のサムネイル画像（例えばサムネイル画像Ｔｈｕ１〜Ｔｈｕ９）が遷移する。つまり、ジョグダイヤル７の回転に基づき、現在選択（現在識別表示）されているサムネイル画像（例えばサムネイル画像Ｔｈｕ４）が属する行（第２行目）と異なる行（第５行目）に属するサムネイル画像（例えばサムネイル画像Ｔｈｕ１３（図示しない））が選択されることに対応して、選択画面中に並べられた９個のサムネイル画像（例えばサムネイル画像Ｔｈｕ１〜Ｔｈｕ９）が全て遷移する。遷移により、例えば、第１行目にサムネイル画像Ｔｈｕ１０〜Ｔｈｕ１２（図示しない）が並び、第２行目にサムネイル画像Ｔｈｕ１３〜Ｔｈｕ１５（図示しない）が並び、第３行目にサムネイル画像Ｔｈｕ１６〜Ｔｈｕ１８（図示しない）が並ぶ。
【００３２】
上記したように、ジョグダイヤル７の回転速度が遅いと画面の遷移速度（スクロール速度）も遅くなり、ジョグダイヤル７の回転速度がやや速いと画面の遷移速度（スクロール速度）もやや速くなり、ジョグダイヤル７の回転速度が非常に速いと画面の遷移速度（スクロール速度）も非常に速くなる。
【００３３】
また、左回りの回転（後戻りの回転）が検出され（ＳＴ１０３、ＮＯ）、単位時間あたりの回転量が少ない場合（回転速度が遅い場合）には（ＳＴ１１０、ＹＥＳ）、サブＣＰＵ２０９、ＤＳＰ２０３、及びＬＣＤドライバ２０４の表示制御により、１個後のサムネイル画像が選択される（ＳＴ１１３）。つまり、現在選択（現在識別表示）されているサムネイル画像（例えばサムネイル画像Ｔｈｕ４）の１個後の順番のサムネイル画像（例えばサムネイル画像Ｔｈｕ３）が選択（識別表示）される。この選択のタイミングで、サブＣＰＵ２０９、ＤＳＰ２０３、及びＬＣＤドライバ２０４の表示制御により、選択画面中に並べられた９個のサムネイル画像（例えばサムネイル画像Ｔｈｕ１〜Ｔｈｕ９）が遷移する。
【００３４】
左回りの回転（後送りの回転）が検出され（ＳＴ１０３、ＮＯ）、単位時間あたりの回転量が中程度の場合（回転速度が少し早い場合）には（ＳＴ１１１、ＹＥＳ）、サブＣＰＵ２０９、ＤＳＰ２０３、及びＬＣＤドライバ２０４の表示制御により、３個後のサムネイル画像が選択される（ＳＴ１１４）。この選択のタイミングで、サブＣＰＵ２０９、ＤＳＰ２０３、及びＬＣＤドライバ２０４の表示制御により、選択画面中に並べられた９個のサムネイル画像（例えばサムネイル画像Ｔｈｕ１〜Ｔｈｕ９）が遷移する。
【００３５】
左回りの回転（後戻りの回転）が検出され（ＳＴ１０３、ＮＯ）、単位時間あたりの回転量が多い場合（回転速度が非常に速い場合）には（ＳＴ１１２、ＹＥＳ）、サブＣＰＵ２０９、ＤＳＰ２０３、及びＬＣＤドライバ２０４の表示制御により、９個後（１画面分後）のサムネイル画像が選択される（ＳＴ１１５）。この選択のタイミングで、サブＣＰＵ２０９、ＤＳＰ２０３、及びＬＣＤドライバ２０４の表示制御により、選択画面中に並べられた９個のサムネイル画像（例えばサムネイル画像Ｔｈｕ１〜Ｔｈｕ９）が全て遷移する。
【００３６】
図７は、単位時間あたりのパルス数と回転量の関係を示す図である。サブＣＰＵ２０９は、単位時間あたりのパルス数と回転量の関係を示す情報を保持し、この情報に基づき、単位時間あたりの回転量が少ない（回転速度が遅い）、中程度（回転速度がやや速い）、やや多い（回転速度が非常に速い）の判断を下す。
【００３７】
また、サブＣＰＵ２０９、ＤＳＰ２０３、及びＬＣＤドライバ２０４の表示制御により、ジョグダイヤル７の回転速度が非常に速い場合のジョグダイヤル７の回転中については、特定のサムネイル画像に対する識別表示を行わない。これにより、選択画面が見やすくなる。
【００３８】
上記したように、所定のサムネイル画像から目的のサムネイル画像まで大幅に移動するときはジョグダイヤル７の回転速度を上げて、目的のサムネイル画像付近ではジョグダイヤル７の回転速度を下げることにより、ジョグダイヤル７の回転を止めることなくシームレスにサムネイル画像を選択することが可能となり、ユーザーの利便性が向上する。
【００３９】
続いて、ジョグダイヤル７による項目の選択操作について説明する。
【００４０】
図８は、映像撮影装置のメニュー画面の一例を示す図である。例えば、ＬＣＤ５１のメニュー画面上では、複数の選択候補（項目その１〜項目その５）がアイコン化され、円弧状に順番に並べて表示されている。また、メニュー画面上では、これら複数の選択候補の中の一つの選択対象（例えば項目その３）だけがカーソル等により識別表示されている。また、ジョグダイヤル７は、メニュー画面上の円弧と視覚状同心円状に配置されている。
【００４１】
図９は、図８に示すメニュー画面上での選択操作の一例を示すフローチャートである。
【００４２】
ジョグダイヤル７が回転すると（ＳＴ２０１、ＹＥＳ）、サブＣＰＵ２０９により回転方向、回転量、回転速度が検出される（ＳＴ２０２）。
【００４３】
右回りの回転（先送りの回転）が検出され（ＳＴ２０３、ＹＥＳ）、単位時間あたりの回転量が少ない場合（回転速度が遅い場合）には（ＳＴ２０４、ＹＥＳ）、サブＣＰＵ２０９、ＤＳＰ２０３、及びＬＣＤドライバ２０４の表示制御により、１個先の項目が選択される（ＳＴ２０６）。つまり、現在選択（現在識別表示）されている項目（例えば項目その３）の１個先の順番の項目（例えば項目その４）が選択（識別表示）される。この選択のタイミングで、サブＣＰＵ２０９、ＤＳＰ２０３、及びＬＣＤドライバ２０４の表示制御により、メニュー画面中に並べられた５個の項目（例えば項目その１〜項目その５）が遷移する。この遷移により、例えば、項目その２〜項目その６（図示しない）が並ぶ。
【００４４】
右回りの回転（先送りの回転）が検出され（ＳＴ２０３、ＹＥＳ）、単位時間あたりの回転量が多い場合（回転速度が速い場合）には（ＳＴ２０５、ＹＥＳ）、サブＣＰＵ２０９、ＤＳＰ２０３、及びＬＣＤドライバ２０４の表示制御により、５個先（１画面分先）の項目が選択される（ＳＴ２０７）。つまり、現在選択（現在識別表示）されている項目（例えば項目その３）の５個先の順番の項目（例えば項目その８（図示しない））が選択（識別表示）される。この選択のタイミングで、サブＣＰＵ２０９、ＤＳＰ２０３、及びＬＣＤドライバ２０４の表示制御により、選択画面中に並べられた５個の項目（例えば項目その１〜項目その５）が全て遷移する。この遷移により、例えば、項目その６（図示しない）〜項目その１０（図示しない）が並ぶ。
【００４５】
上記したように、ジョグダイヤル７の回転速度が遅いと画面の遷移速度（スクロール速度）も遅くなり、ジョグダイヤル７の回転速度が速いと画面の遷移速度（スクロール速度）も速くなる。
【００４６】
また、左回りの回転（後戻りの回転）が検出され（ＳＴ２０３、ＮＯ）、単位時間あたりの回転量が少ない場合（回転速度が遅い場合）には（ＳＴ２０８、ＹＥＳ）、サブＣＰＵ２０９、ＤＳＰ２０３、及びＬＣＤドライバ２０４の表示制御により、１個後の項目が選択される（ＳＴ２１０）。つまり、現在選択（現在識別表示）されている項目（例えば項目その３）の１個後の順番の項目（例えば項目その２）が選択（識別表示）される。この選択のタイミングで、サブＣＰＵ２０９、ＤＳＰ２０３、及びＬＣＤドライバ２０４の表示制御により、選択画面中に並べられた５個の項目（例えば項目その１〜項目その５）が遷移する。
【００４７】
左回りの回転（後戻りの回転）が検出され（ＳＴ２０３、ＮＯ）、単位時間あたりの回転量が多い場合（回転速度が速い場合）には（ＳＴ２０９、ＹＥＳ）、サブＣＰＵ２０９、ＤＳＰ２０３、及びＬＣＤドライバ２０４の表示制御により、５個後（１画面分後）の項目が選択される（ＳＴ２１１）。この選択のタイミングで、サブＣＰＵ２０９、ＤＳＰ２０３、及びＬＣＤドライバ２０４の表示制御により、選択画面中に並べられた５個の項目（例えば項目その１〜項目その５）が全て遷移する。
【００４８】
図１０は、単位時間あたりのパルス数と回転量の関係を示す図である。サブＣＰＵ２０９は、単位時間あたりのパルス数と回転量の関係を示す情報を保持し、この情報に基づき、単位時間あたりの回転量が少ない（回転速度が遅い）、多い（回転速度が速い）の判断を下す。
【００４９】
また、サブＣＰＵ２０９、ＤＳＰ２０３、及びＬＣＤドライバ２０４の表示制御により、ジョグダイヤル７の回転速度が速い場合のジョグダイヤル７の回転中については、特定の項目に対する識別表示を行わない。これにより、メニュー画面が見やすくなる。
【００５０】
上記したように、所定の項目から目的の項目まで大幅に移動するときはジョグダイヤル７の回転速度を上げて、目的の項目付近ではジョグダイヤル７の回転速度を下げることにより、ジョグダイヤル７の回転を止めることなくシームレスに項目を選択することが可能となり、ユーザーの利便性が向上する。
【００５１】
続いて、ジョグダイヤル７によるマニュアルフォーカス操作について説明する。
【００５２】
一般的な一眼レフタイプのカメラレンズを使用する場合、フォーカスリングと呼ばれるリングを回すことでマニュアルにてユーザーの意図する焦点距離にフォーカスレンズを移動させることができる。この映像撮影装置では、ジョグダイヤル７の回転操作に対応してレンズユニット２０７のモーターが駆動し、このモーターの駆動によりレンズユニット２０７の焦点調整レンズが移動し、焦点距離（焦点調整レンズとＣＣＤ２００との間の距離）が変わる。
【００５３】
従来のデジタルカメラ等では、十字キーの左位置又は右位置の押下に対応して、モーターが駆動し、レンズ位置が変動する。つまり、十字キーの左位置又は右位置の押下に対応して、焦点距離が変動する。例えば、十字キーの左位置又は右位置の１回の押下に対応してモーターが１ステップ駆動し、同様に、十字キーの左位置又は右位置の２回の押下に対応してモーターが２ステップ駆動する。或いは、十字キーの左位置又は右位置のｎ時間の押下に対応してモーターがｎステップ駆動し、十字キーの左位置又は右位置の２ｎ時間の押下に対応してモーターが２ｎステップ駆動する。
【００５４】
しかしながら、フォーカスステップ数と被写体距離の間には、図１１に示すような関係がある。例えば、被写体距離１ｍ−１．５ｍの５０ｃｍ分のフォーカスステップ数が６ステップであるのに対して、被写体距離０．３５ｍ−０．８５ｍの５０ｃｍ分のフォーカスステップ数は３６ステップである。つまり、無限遠領域での５０ｃｍ分のフォーカスステップ数と至近領域での５０ｃｍ分のフォーカスステップ数には１００倍近くの差が生じる。このため、無限遠領域と至近領域の両者において同じステップ数でレンズを移動させると、無限遠領域では焦点距離変化が非常に大きく、逆に至近領域では焦点距離変化が非常に小さくなる。このようなことから、従来のような十字キーの左位置又は右位置の押下に比例したレンズ位置の移動は、ユーザーにとって、非常に使い勝手が悪い（焦点合わせが難しい）。
【００５５】
この発明の映像撮影装置は、図１２に示すように、ジョグダイヤル７の操作に対応して焦点距離を調整するので、非常に使い勝手が良い（焦点合わせが容易である）。図１２は、ジョグダイヤル７の操作に対応した焦点距離制御の一例を示すフローチャートである。
【００５６】
ジョグダイヤル７が回転すると（ＳＴ３０１、ＹＥＳ）、例えばＤＳＰが、ＣＣＤ２００からの電気信号に基づき被写体距離を検出し、検出された被写体距離に基づき規定ステップ数を決定する（ＳＴ３０２）。例えば図１３に示す被写体距離が短くなるにつれて規定ステップ数が増加する被写体距離と規定ステップ数との関係から規定ステップ数が決定される。さらに、サブＣＰＵ２０９により、ジョグダイヤル７の回転方向、回転量、回転速度が検出される（ＳＴ３０３）。
【００５７】
右回りの回転が検出され（ＳＴ３０４、ＹＥＳ）、単位時間あたりの回転量が少ない場合（回転速度が遅い場合）には（ＳＴ３０５、ＹＥＳ）、ＤＳＰ２０３により１ステップ（＋）が設定される（ＳＴ３０５）。モータードライバー２０８は、設定された１ステップ（＋）に基づきレンズユニット２０７のモーターを１ステップ（＋）駆動させる。このモーターの１ステップ（＋）の駆動により、焦点調整レンズが１ステップ（＋）相当分移動する。
【００５８】
右回りの回転が検出され（ＳＴ３０４、ＹＥＳ）、単位時間あたりの回転量が中程度の場合（回転速度がやや早い場合）には（ＳＴ３０６、ＹＥＳ）、ＤＳＰ２０３により規定ステップ（＋）が設定される（ＳＴ３０９）。モータードライバー２０８は、設定された規定ステップ（＋）に基づきレンズユニット２０７のモーターを規定ステップ（＋）駆動させる。このモーターの規定ステップ（＋）の駆動により、焦点調整レンズが規定ステップ（＋）相当分移動する。
【００５９】
右回りの回転が検出され（ＳＴ３０４、ＹＥＳ）、単位時間あたりの回転量が多い場合（回転速度が非常に速い場合）には（ＳＴ３０７、ＹＥＳ）、ＤＳＰ２０３により規定ステップ（＋）の所定倍（例えば２倍）のステップが設定される（ＳＴ３０９）。モータードライバー２０８は、設定された規定ステップ（＋）の所定倍に基づきレンズユニット２０７のモーターを規定ステップ（＋）の所定倍だけ駆動させる。このモーターの規定ステップ（＋）の所定倍の駆動により、焦点調整レンズが規定ステップ（＋）の所定倍相当分移動する。
【００６０】
左回りの回転が検出され（ＳＴ３０４、ＮＯ）、単位時間あたりの回転量が少ない場合（回転速度が遅い場合）には（ＳＴ３１１、ＹＥＳ）、ＤＳＰ２０３により１ステップ（−）が設定される（ＳＴ３１４）。モータードライバー２０８は、設定された１ステップ（−）に基づきレンズユニット２０７のモーターを１ステップ（−）駆動させる。このモーターの１ステップ（−）の駆動により、焦点調整レンズが１ステップ（−）相当分移動する。
【００６１】
左回りの回転が検出され（ＳＴ３０４、ＮＯ）、単位時間あたりの回転量が中程度の場合（回転速度がやや早い場合）には（ＳＴ３１２、ＹＥＳ）、ＤＳＰ２０３により規定ステップ（−）が設定される（ＳＴ３１５）。モータードライバー２０８は、設定された規定ステップ（−）に基づきレンズユニット２０７のモーターを規定ステップ（−）駆動させる。このモーターの規定ステップ（−）の駆動により、焦点調整レンズが規定ステップ（−）相当分移動する。
【００６２】
左回りの回転が検出され（ＳＴ３０４、ＮＯ）、単位時間あたりの回転量が多い場合（回転速度が非常に速い場合）には（ＳＴ３１３、ＹＥＳ）、ＤＳＰ２０３により規定ステップ（−）の所定倍（例えば２倍）のステップが設定される（ＳＴ３１６）。モータードライバー２０８は、設定された規定ステップ（−）の所定倍に基づきレンズユニット２０７のモーターを規定ステップ（−）の所定倍だけ駆動させる。このモーターの規定ステップ（−）の所定倍の駆動により、焦点調整レンズが規定ステップ（−）の所定倍相当分移動する。
【００６３】
図１４は、単位時間あたりのパルス数と回転量の関係を示す図である。サブＣＰＵ２０９は、単位時間あたりのパルス数と回転量の関係を示す情報を保持し、この情報に基づき、単位時間あたりの回転量が少ない（回転速度が遅い）、中程度（回転速度がやや速い）、やや多い（回転速度が非常に速い）の判断を下す。
【００６４】
上記したように、この映像撮影装置は、被写体距離及びジョグダイヤル７の回転速度に基づき、焦点調整レンズとＣＣＤ２００との間の焦点距離の可変幅が制御される。つまり、被写体距離が近く回転速度が速いと焦点距離の変更幅は大きく、被写体距離が遠いと回転速度が速くても焦点距離の変更幅は小さくなる。
【００６５】
例えば、被写体距離が１００ｃｍ以上でジョグダイヤル７の回転速度がやや早い程度の場合には、焦点距離の可変幅は２ステップで制御される。被写体距離が２０ｃｍ以下でジョグダイヤル７の回転速度がやや早い程度の場合には、焦点距離の可変幅は１４ステップで制御される。また、被写体距離が８０ｃｍ−５０ｃｍでジョグダイヤル７の回転速度が遅い場合には、焦点距離の可変幅は１ステップで制御される。被写体距離が８０ｃｍ−５０ｃｍでジョグダイヤル７の回転速度がやや早い場合には、焦点距離の可変幅は４ステップで制御される。被写体距離が８０ｃｍ−５０ｃｍでジョグダイヤル７の回転速度が非常に早い場合には、焦点距離の可変幅は８ステップで制御される。
【００６６】
上記したように、単位時間あたりの回転量が少ない場合（回転速度が遅い場合）には、細かいフォーカス動作が求められるため被写体距離に関わらず１ステップ刻みでレンズの移動を制御する。単位時間あたりの回転量が中程度の場合（回転速度がやや早い場合）には、被写体距離に応じて設定された規定ステップ数に基づき焦点調整レンズが移動する。単位時間あたりの回転量が多い場合（回転速度がやや早い場合）には、被写体距離に応じて設定された規定ステップ数の２倍のステップ数に基づき焦点調整レンズが移動する。これにより、迅速な焦点距離選択が可能となる。また、回転速度を遅くするだけで、シームレスに細かい焦点距離選択も出来る。以上により、非常に操作性に優れた焦点距離調整が可能となり、ユーザーの利便性は非常に高くなる。
【００６７】
以下に本発明の作用効果についてまとめる。
【００６８】
本発明によれば、ジョグダイヤル７の回転速度に基づき、各種切り替えの速度を可変する。これにより、操作性が向上し、使用者の利便性が向上する。
【００６９】
１．方向キーではなく、ジョグダイヤル７のようなロータリースイッチの回転速度に応じたスクロールスピードでの表示が可能となる。これにより、ユーザーの意図するスクロールスピードにすぐ到達できる。
【００７０】
２．ユーザーは、ジョグダイヤル７の回転操作中に目標とする画像を発見した際、ジョグダイヤル７の回転を止めるだけで、目標とする画像の近傍にカーソル等を到達できる。これにより、サムネイル一覧表示画面からのサムネイル画像選択時又はメニュー画面中からの項目選択時に、目的とするサムネイル画像又は項目に到達するまでの時間の短縮を図ることができる。
【００７１】
３．マニュアルフォーカス時には被写体距離に応じて稼動ステップ数を可変させる。これにより、被写体距離に応じた焦点距離調整が可能となる。また、回転速度が早いときはレンズ駆動ステップ数を大幅に増やし、回転速度が遅い場合はレンズ駆動ステップ数を大幅に減らす。ジョグダイヤル７の回転が停止すると、直ちにレンズの移動も停止する。これにより、マニュアでの焦点距離調整の迅速化を図ることができ、またユーザーの意図に沿った焦点距離調整が可能となる。その結果、ユーザーの利便性を高める事が出来る。
【００７２】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００７３】
【図１】この発明の映像撮影装置の一例を示す図である。
【図２】図１に示す映像撮影装置の表示部に表示される映像を視認可能な状態にした様子を示す図である。
【図３】図１及び図２に示す映像撮影装置のジョグダイヤル及び決定ボタンの詳細を説明するための図である。
【図４】図１〜図３に示す映像撮影装置の概略機能を説明するための機能ブロック図である。
【図５】映像撮影装置により取り込んだ静止画や動画の代表画像などのサムネイルを一覧表示した選択画面の一例を示す図である。
【図６】図５に示すサムネイル画像を一覧表示した選択画面上での選択操作の一例を示すフローチャートである。
【図７】図６に示す選択操作時の単位時間あたりのパルス数と回転量の関係を示す図である。
【図８】映像撮影装置のメニュー画面の一例を示す図である。
【図９】図８に示すメニュー画面上での選択操作の一例を示すフローチャートである。
【図１０】図９に示す選択操作時の単位時間あたりのパルス数と回転量の関係を示す図である。
【図１１】フォーカスステップ数と被写体距離の関係を示す図である。
【図１２】ジョグダイヤルの操作に対応した焦点距離制御の一例を示すフローチャートである。
【図１３】被写体距離が短くなるにつれて規定ステップ数が増加する被写体距離と規定ステップ数との関係を示す図である。
【図１４】図１２に示す焦点距離制御時の単位時間あたりのパルス数と回転量の関係を示す図である。
【符号の説明】
【００７４】
１…本体、２…レンズ、３…フラッシュ、４…シャッターボタン、５…表示部、６…動画レコードボタン、７…ジョグダイヤル（回転体）、８…決定ボタン、９…メニューボタン、１０…ズームバー、１１…モードレバー、１２…パワーボタン、２１…収納部、５１…ＬＣＤ、５２…スピーカー、２００…ＣＣＤ、２０１…フロントエンドプロセッサー（ＦＥＰ）、２０２…ＳＤＲＡＭ、２０３…デジタルシグナルプロセッサー（ＤＳＰ）、２０４…ＬＣＤドライバ、２０５…メモリーコントローラー、２０６…メモリカード、２０７…レンズユニット、２０８…モータードライバー、２０９…サブＣＰＵ、２１０…ＨＤＤ
【図１】
2006191301.tif 000003
【図２】
2006191301.tif 000004
【図３】
2006191301.tif 000005
【図４】
2006191301.tif 000006
【図５】
2006191301.tif 000007
【図６】
2006191301.tif 000008
【図７】
2006191301.tif 000009
【図８】
2006191301.tif 000010
【図９】
2006191301.tif 000011
【図１０】
2006191301.tif 000012
【図１１】
2006191301.tif 000013
【図１２】
2006191301.tif 000014
【図１３】
2006191301.tif 000015
【図１４】
2006191301.tif 000016